(57)【要約】【課題】外形寸法の増大を抑えつつ、下から挿入した固定金具の抜けを確実に防止し、基板への確実な固着力を確保すること。【解決手段】コネクタハウジング１の側壁にスロット２１を形成し、固定金具１０のハウジング取着部１２を差し込み係止する。ハウジング取着部は、中央部のスリット１４により左右のアーム１３に分割され、各アームの上端部にフック１３ａを有する。アームは、フックがスロットを通過するとき内側に撓み、スロット通過後に撓みから復帰してフックをスロットの上端に係合させる。スロットの内壁には、接続凹部４への相手方コネクタ５の差し込みによりスロット２１側へ押し出されてスリット内に嵌まりアームの内側への撓みを阻止する係合凸部３１ａが設けられている。【選択図】図２
2009146592.tif 000002
【特許請求の範囲】
【請求項１】
基板にハンダ付けされることによって該基板の表面に実装され、接続凹部に相手方コネクタが嵌合される表面実装用コネクタであって、
側壁を両端に有し、該側壁それぞれに、前記基板に実装された際に該基板と対面する前記側壁の下面から、上方へ向けて延長するスロットが形成されたコネクタハウジングと、前記側壁の間の前記コネクタハウジングの部分に装着された複数の端子と、２枚の金属板を断面視略Ｌ字状にそれぞれ曲げることで形成された２つの固定金具と、を備え、
前記固定金具各々が、基板固着部と、該基板固着部に連設された断面視略Ｌ字状の曲げ部と、前記曲げ部に連設され且つ該曲げ部を介して前記基板固着部に対し起立状態に設けられたハウジング取着部と、を有し、
前記固定金具は、それらのハウジング取着部が前記側壁の下方からそれぞれ前記スロットに差し込まれることで前記コネクタハウジングに固着されており、
前記固定金具の基板固着部それぞれが表面実装用コネクタを前記基板に固定するために該基板にハンダ付けされる部分であり、
前記固定金具のハウジング取着部各々には、その幅方向の中央部に、上端から前記曲げ部側に向けて延びるスリットが形成され、これにより左右に分割された一対のアームが形成されており、
前記左右一対のアームの上端部には、前記スロットの幅よりも大きく外側に突出し、且つ、前記スロットに差し込まれた際に前記スロットの上端に係合することで前記固定金具の下方への抜けを阻止するフックが形成され、
前記左右一対のアームは、それらの前記フックが前記スロットを通過する際に内側に撓むことで通過を許容し、前記スロットの通過後に内側に撓んだ状態から復帰することで前記フックを前記スロットの上端に係合させるものとして構成され、
前記スロットの内壁には、前記接続凹部側に突出し、且つ内壁に対して直交方向に変位可能に支持された係合凸部が設けられており、
前記係合凸部は、前記接続凹部内に嵌合される前記相手方コネクタによって前記スロット側へ押し出され、前記スロットに差し込まれた前記固定金具の前記スリット内に嵌合し、それにより、前記アームの内側への撓みを阻止することを特徴とする表面実装用コネクタ。
【請求項２】
前記係合凸部は、前記コネクタハウジングの側壁に一端が連結されて揺動可能に一体に形成された係合アームに形成されていることを特徴とする請求項１に記載した表面実装用コネクタ。
【発明の詳細な説明】
【技術分野】
【０００１】
本発明は、コネクタハウジングの両端に取り付けた固定金具を基板にハンダ付けすることによって基板上に実装される表面実装用コネクタに関するものである。
【背景技術】
【０００２】
図９は特許文献１に記載された従来の表面実装用コネクタを示している。この表面実装用コネクタは、略矩形箱状に形成され、基板１１０上に載置される絶縁樹脂製のコネクタハウジング１０１と、コネクタハウジング１０１の側壁の外面に設けられた組付部１０２に上側から圧入されることでコネクタハウジング１０１の側壁に固定された固定金具１０３と、を備えている。
【０００３】
固定金具１０３は、帯状の金属板を断面視略Ｌ字状に折り曲げて形成したもので、基板１１０の表面にハンダ付けされる基板固着部１０３ａと、基板固着部１０３ａに対して起立状態に設けられ、コネクタハウジング１０１の組付部１０２に取着されるハウジング取着部１０３ｂと、を有している。図９の表面実装用コネクタは、固定金具１０３の基板固着部１０３ａが基板１１０にハンダ付けされることにより基板１１０上に実装される。
【０００４】
図１０（ａ）および（ｂ）は、別の従来の表面実装用コネクタの例を示しており、図１０（ａ）は斜視図、そして図１０（ｂ）は固定金具の斜視図である。この表面実装用コネクタの場合も、コネクタハウジング１２１の両端の側壁に設けられた組付部１２２に、Ｌ字状の固定金具１２３を上から差し込み、固定金具１２３のハウジング取着部１２３ａをコネクタハウジング１２１の組付部１２２に係合させ、基板固着部１２３ｂを基板にハンダ付けすることにより、実装される。
【０００５】
図１１（ａ）および（ｂ）は、別の従来の表面実装用コネクタを示しており、図１１（ａ）は上面図、そして図１１（ｂ）は下面図である。この表面実装用コネクタは、端子１５２を装着したコネクタハウジング１５１の両端の側壁に、固定金具１５３を下から圧入した構成をなしている。
【０００６】
【特許文献１】特開２００６−３１９４４号公報
【発明の開示】
【発明が解決しようとする課題】
【０００７】
ところで、図９および図１０（ａ）および（ｂ）に示す従来例のように、固定金具１０３，１２２を上からコネクタハウジング１０１，１２１の側壁に圧入する場合、コネクタハウジング１０１，１２１の側壁の外面に組付部１０２，１２２を形成する関係で、コネクタ全体の外形が大きくなってしまうという問題がある。また、固定金具１０３，１２２を組付部１０２，１２２に上から差し込む構造であるので、固定金具１０３，１２２の基板固着部１０３ａ，１２２ｂの面積を大きくすることができず、基板への大きな固定力が得られないという問題もある。
【０００８】
また、図１１（ａ）および（ｂ）に示す従来例のように固定金具１５３をコネクタハウジング１５１の下から単に圧入する場合、コネクタハウジング１５１から固定金具１５３が抜けやすく、固定金具１５３に対する保持力が弱いという問題がある。
【０００９】
本発明は、上述した事情に鑑みてなされたものであり、その目的は、外形寸法の増大を抑えつつ、下から挿入した固定金具の抜けを確実に防止することができ、基板への確実な固着力を確保することができる表面実装用コネクタを提供することにある。
【課題を解決するための手段】
【００１０】
前述した目的を達成するために、本発明に係る表面実装用コネクタは、下記（１）および（２）を特徴としている。
（１）  基板にハンダ付けされることによって該基板の表面に実装され、接続凹部に相手方コネクタが嵌合される表面実装用コネクタであって、
側壁を両端に有し、該側壁それぞれに、前記基板に実装された際に該基板と対面する前記側壁の下面から、上方へ向けて延長するスロットが形成されたコネクタハウジングと、前記側壁の間の前記コネクタハウジングの部分に装着された複数の端子と、２枚の金属板を断面視略Ｌ字状にそれぞれ曲げることで形成された２つの固定金具と、を備え、
前記固定金具各々が、基板固着部と、該基板固着部に連設された断面視略Ｌ字状の曲げ部と、前記曲げ部に連設され且つ該曲げ部を介して前記基板固着部に対し起立状態に設けられたハウジング取着部と、を有し、
前記固定金具は、それらのハウジング取着部が前記側壁の下方からそれぞれ前記スロットに差し込まれることで前記コネクタハウジングに固着されており、
前記固定金具の基板固着部それぞれが表面実装用コネクタを前記基板に固定するために該基板にハンダ付けされる部分であり、
前記固定金具のハウジング取着部各々には、その幅方向の中央部に、上端から前記曲げ部側に向けて延びるスリットが形成され、これにより左右に分割された一対のアームが形成されており、
前記左右一対のアームの上端部には、前記スロットの幅よりも大きく外側に突出し、且つ、前記スロットに差し込まれた際に前記スロットの上端に係合することで前記固定金具の下方への抜けを阻止するフックが形成され、
前記左右一対のアームは、それらの前記フックが前記スロットを通過する際に内側に撓むことで通過を許容し、前記スロットの通過後に内側に撓んだ状態から復帰することで前記フックを前記スロットの上端に係合させるものとして構成され、
前記スロットの内壁には、前記接続凹部側に突出し、且つ内壁に対して直交方向に変位可能に支持された係合凸部が設けられており、
前記係合凸部は、前記接続凹部内に嵌合される前記相手方コネクタによって前記スロット側へ押し出され、前記スロットに差し込まれた前記固定金具の前記スリット内に嵌合し、それにより、前記アームの内側への撓みを阻止すること。
（２）  上記（１）の構成の表面実装用コネクタにおいて、
前記係合凸部は、前記コネクタハウジングの側壁に一端が連結されて揺動可能に一体に形成された係合アームに形成されていること。
【００１１】
上記（１）の構成の表面実装用コネクタでは、コネクタハウジングに形成したスロットに固定金具のハウジング取着部を差し込み、接続凹部に相手方コネクタを差し込むことで、固定金具をコネクタハウジングに抜け止め固定することができる。即ち、固定金具のハウジング取着部をスロットに挿入すると、まず、左右のアームが内側に撓むことで、フックがスロットを通過する。そして、フックがスロットを通過して、アームが撓みから復元すると、フックがスロットの上端に係合する。その後、コネクタハウジングの接続凹部に相手方コネクタを差し込むと、相手方コネクタによって係合凸部がスロット側へ押し出されてハウジング取着部の開放したスリットに嵌まり、係合凸部がアームの内側への撓みを阻止する。
従って、フックがスロットの上端に係合することで、固定金具がコネクタハウジングから抜け止めされ、係合凸部がスリットに嵌まりアームの内側への撓みが規制されることで、スロットの上端からのフックの外れが防止され、固定金具が二重係止される。その結果、固定金具に抜け方向の荷重がかかった場合にも、係合凸部の働きにより確実に、固定金具の抜け止めを行なうことができる。固定金具をスロットに差し込んだ後に、スリットに係合凸部を嵌合させるので、スロットへ差し込む際の固定金具の差し込みに要する力を極力抑えることができ、円滑に装着することができる。
また、下方から固定金具を差し込む構造であるので、上方から固定金具を差し込む構造と比較し、組付部となるスロットの大きさを小さくすることができ、コネクタハウジングの外形寸法の増大を抑えることができる。しかも、固定金具の基板固着部の面積を大きくすることができ、基板へ確実に固着させることができる。
上記（２）の構成の表面実装用コネクタでは、コネクタハウジングの接続凹部に相手方コネクタを差し込むと、コネクタハウジングに揺動可能に一体に形成された係合アームの係合凸部がスロット側へ押し出されてハウジング取着部の開放したスリットに嵌まり、係合凸部がアームの内側への撓みを阻止する。このように、係合凸部を有する係合アームがコネクタハウジングに一体に形成されているので、コネクタハウジングの大型化を招くことなく、信頼性の高い固定金具の抜け止め構造を得ることができる。
【発明の効果】
【００１２】
本発明によれば、外形寸法の増大を抑えつつ、下から挿入した固定金具の抜けを確実に防止することができ、基板への確実な固着力を確保することができる。
【００１３】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１４】
以下、本発明に係る好適な実施形態を図面に基づいて詳細に説明する。
【００１５】
図１は本発明の実施形態の表面実装用コネクタおよびそれに接続されるコネクタの斜視図、図２は図１の表面実装用コネクタにおける基板への固定箇所の斜視図、図３は図２の表面実装用コネクタの基板への固定構造を説明する斜視図、図４（ａ）および（ｂ）は図１の表面実装用コネクタのスロットに差し込まれる固定金具であって、図４（ａ）は表面側から視た斜視図、図４（ｂ）は裏面側から視た斜視図、図５は図１の表面実装用コネクタの固定金具の係合構造を説明する一部を断面視した斜視図、図６は図１の表面実装用コネクタの固定金具の係合の仕方を説明する一部を断面視した斜視図、図７は図１の表面実装用コネクタの固定金具の係合の仕方を説明する一部を断面視した斜視図、そして図８は図１の表面実装用コネクタの固定金具との係合状態を説明する斜視図である。
【００１６】
この表面実装用コネクタは、図１に示すように、絶縁樹脂で成形されたコネクタハウジング１と、コネクタハウジング１に装着された複数の端子２と、コネクタハウジング１の下面の長手方向の両端部に取り付けられた一対の固定金具１０と、を備え、固定金具１０を基板にハンダ付けすることで、基板の表面に実装されるものである。
【００１７】
このコネクタハウジング１には、接続凹部４が形成されており、この接続凹部４には、相手方コネクタ５が嵌合される。相手方コネクタ５には、電線６に接続された雌端子７が収納されており、相手方コネクタ５をコネクタハウジング１の接続凹部４に嵌合させることにより、雌端子７が端子２に接続されるようになっている。
【００１８】
コネクタハウジング１の両側部には、図２および図３に示すように、実装すべき基板（不図示）に対面する下面から上方へ向けて延長するスロット２１が形成されている。このスロット２１は、コネクタハウジング１の側壁１ａに形成された一対の係止ブロック２２から構成されており、これら係止ブロック２２は、上下に沿って平行に形成された係合溝２３を有している。
【００１９】
図４（ａ）および（ｂ）に示すように、固定金具１０は、帯状の金属板を断面視略Ｌ字状に折り曲げることで形成され、基板の板面にハンダ付けされる基板固着部１１と、該基板固着部１１に対し略直角の曲げ部を介して起立状態に設けられて前記スロット２１の係止ブロック２２の係合溝２３に、下方から図３中矢印イに示すように差し込まれることでコネクタハウジング１に固着されるハウジング取着部１２と、を有している。
【００２０】
また、固定金具１０のハウジング取着部１２には、その幅方向の中央部に、上端から曲げ部側に向けて延びるスリット１４が形成されることで、左右一対のアーム１３に分割されている。そして、各アーム１３の上端部には、スロット２１の入口の幅よりも大きく外側に突出し、且つ、スロット２１に差し込まれた際に、前記スロット２１の上端に係合することで、固定金具１０の下方への抜けを阻止するフック１３ａが形成されている。また、各アーム１３の上端部の外縁には、スロット２１の入口にアーム１３を挿入しやすくするための案内用の面取部１３ｂが設けられている。
【００２１】
また、左右一対のアーム１３は、フック１３ａがスロット２１の入口を通過する際に内側に撓むことで通過を許容し、該スロット２１の入口の通過後に内側に撓んだ状態から復帰することでフック１３ａをスロット２１の上端に係合させるものとして構成されている。
【００２２】
コネクタハウジング１の側壁１ａには、Ｌ字状に屈曲した係合アーム３１が一体に形成されている。この係合アーム３１は、図５に示すように、側壁１ａに連結された基端から、接続凹部４側へ僅かに傾斜しながらコネクタハウジング１の前方側に延在され、さらに下方側へ屈曲されている。これにより、この係合アーム３１の先端側は、接続凹部４の内側に僅かに突出されている。また、係合アーム３１の先端にて下方へ屈曲された部分は、係合凸部３１ａとされており、コネクタハウジング１の側壁１ａと略面一に配置されている。
【００２３】
次に作用を説明する。この表面実装用コネクタでは、コネクタハウジング１に形成したスロット２１に固定金具１０のハウジング取着部１２を差し込み、その後、相手方コネクタ５を接続凹部４に差し込むことで、固定金具１０をコネクタハウジング１に抜け止め固定することができる。
【００２４】
即ち、固定金具１０のハウジング取着部１２をスロット２１に挿入すると、まず、左右のアーム１３が係合溝２３に入り込んで内側に撓むことで、フック１３ａがスロット２１の入口を通過する。更に差し込むと、アーム１３が内側に撓んだ状態で、アーム１３の上端部が、係合溝２３を通過してアーム１３が撓みから復元することにより、フック１３ａがスロット２１の上端に係合する。
【００２５】
この状態にて、図６に示すように、コネクタハウジング１の接続凹部４に相手方コネクタ５を差し込む。
【００２６】
すると、図７に示すように、この接続凹部４に差し込んだ相手方コネクタ５が、接続凹部４内に突出している係合アーム３１に当接する。
【００２７】
さらに、相手方コネクタ５を押し込むと、係合アーム３１が外側へ押し出され、図８に示すように、この係合アーム３１の係合凸部３１ａがスロット２１側へ押し出されて固定金具１０のハウジング取着部１２の開放したスリット１４内に嵌まる。
【００２８】
これにより、固定金具１０は、ハウジング取着部１２のアーム１３の内側への撓みが阻止される。
【００２９】
従って、フック１３ａがスロット２１の上端に係合することにより、固定金具１０がコネクタハウジング１のスロット２１から抜け止めされ、係合アーム３１の係合凸部３１ａがスリット１４に嵌まりアーム１３の内側への撓みが規制されることで、スロット２１の上端からのフック１３ａの外れが防止され、固定金具１０が二重係止される。その結果、例えば、相手方コネクタ５の電線６が引っ張られたりして固定金具１０に抜け方向の荷重がかかった場合にも、係合凸部３１ａの働きにより確実に、固定金具１０の抜け止めを行なうことができる。また、固定金具１０をスロット２１に差し込んだ後に、スリット１４に係合凸部３１ａを嵌合させるので、スロット２１へ差し込む際の固定金具１０の差し込みに要する力を極力抑えることができ、円滑に装着することができる。
【００３０】
また、下方から固定金具１０を差し込む構造であるので、上方から固定金具を差し込む構造と比較し、組付部となるスロット２１の大きさを小さくすることができ、コネクタハウジング１の外形寸法の増大を抑えることができる。しかも、固定金具１０の基板固着部１１の面積を大きくすることができ、基板へ確実に固着させることができる。
【００３１】
また、係合凸部３１ａを有する係合アーム３１がコネクタハウジング１に一体に形成されているので、コネクタハウジング１の大型化を招くことなく、信頼性の高い固定金具１０の抜け止め構造を得ることができる。
【００３２】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【図面の簡単な説明】
【００３３】
【図１】本発明の実施形態の表面実装用コネクタおよびそれに接続されるコネクタの斜視図である。
【図２】図１の表面実装用コネクタにおける基板への固定箇所の斜視図である。
【図３】図２の表面実装用コネクタの基板への固定構造を説明する斜視図である。
【図４】図１の表面実装用コネクタのスロットに差し込まれる固定金具であって、（ａ）は表面側から視た斜視図、（ｂ）は裏面側から視た斜視図である。
【図５】図１の表面実装用コネクタの固定金具の係合構造を説明する一部を断面視した斜視図である。
【図６】図１の表面実装用コネクタの固定金具の係合の仕方を説明する一部を断面視した斜視図である。
【図７】図１の表面実装用コネクタの固定金具の係合の仕方を説明する一部を断面視した斜視図である。
【図８】図１の表面実装用コネクタの固定金具との係合状態を説明する斜視図である。
【図９】従来例を示す斜視図である。
【図１０】別の従来例の斜視図と固定金具の斜視図である。
【図１１】別の従来例の上面図（ａ）と下面図（ｂ）である。
【符号の説明】
【００３４】
１：コネクタハウジング
２：端子
４：接続凹部
５：相手方コネクタ
１０：固定金具
１１：基板固定部
１２：ハウジング取着部
１３：アーム
１３ａ：フック
１４：スリット
２１：スロット
３１：係合アーム
３１ａ：係合凸部
【図１】
2009146592.tif 000003
【図２】
2009146592.tif 000004
【図３】
2009146592.tif 000005
【図４】
2009146592.tif 000006
【図５】
2009146592.tif 000007
【図６】
2009146592.tif 000008
【図７】
2009146592.tif 000009
【図８】
2009146592.tif 000010
【図９】
2009146592.tif 000011
【図１０】
2009146592.tif 000012
【図１１】
2009146592.tif 000013